(57)【要約】【課題】本発明は電極タップとターミナルプレートの結束力を向上させて、安全性および工程マージンを高めることができる。【解決手段】一例として、電極組立体、前記電極組立体と電気的に連結され、前記電極組立体の上段部に突出した電極タップ、前記電極組立体を収容する缶、前記缶の上部に結合するキャッププレート、および前記キャッププレートと前記電極組立体との間に位置し、前記電極タップと電気的に連結されたターミナルプレートを含み、前記電極タップは電極タップの長さ方向と平行な第１長辺、第２長辺および前記第１長辺と第２長辺とを連結する切断面を含み、前記第１長辺と前記切断面がなす角度は９０度より大きいことを特徴とする２次電池を提供する。【選択図】図３
2015130313.tif 000002
【特許請求の範囲】
【請求項１】
電極組立体、
前記電極組立体と電気的に連結され、前記電極組立体の上段部に突出した電極タップ、
前記電極組立体を収容する缶、
前記缶の上部に結合するキャッププレート、および
前記キャッププレートと前記電極組立体との間に位置し、前記電極タップと電気的に連結されたターミナルプレートを含み、
前記電極タップは電極タップの長さ方向と平行な第１長辺、第２長辺および前記第１長辺と第２長辺とを連結する切断面を含み、前記第１長辺と前記切断面がなす角度は９０度より大きいことを特徴とする２次電池。
【請求項２】
前記第１長辺は前記電極組立体の中心と隣接するように位置し、前記第２長辺は前記電極組立体の周縁と隣接するように位置することを特徴とする請求項１に記載の２次電池。
【請求項３】
前記切断面は前記第１長辺から第２長辺に行くほど高さが高くなる斜線形状に形成されることを特徴とする請求項１に記載の２次電池。
【請求項４】
前記ターミナルプレートは前記キャッププレートに向かう第１面と、前記第１面と反対面で前記電極組立体に向かう第２面とを含み、
前記電極タップは前記第２面に溶接されることを特徴とする請求項１に記載の２次電池。
【請求項５】
前記ターミナルプレートは一対の長側辺と前記一対の長側辺を連結し、前記一対の長側辺より長さが短い一対の短側辺を含むことを特徴とする請求項１に記載の２次電池。
【請求項６】
前記一対の長側辺は曲線で形成されることを特徴とする請求項５に記載の２次電池。
【請求項７】
前記切断面は前記一対の長側辺と平行に形成されることを特徴とする請求項６に記載の２次電池。
【請求項８】
前記一対の長側辺は二つの直線で形成されることを特徴とする請求項５に記載の２次電池。
【請求項９】
前記一対の長側辺は前記電極タップの長さ方向と垂直な第１直線と、前記第１直線と連結され、斜線で形成された第２直線とを含むことを特徴とする請求項８に記載の２次電池。
【請求項１０】
前記切断面は前記第２直線と平行であることを特徴とする請求項９に記載の２次電池。
【請求項１１】
前記ターミナルプレートは長方形状のプレートを折って形成したことを特徴とする請求項１に記載の２次電池。
【請求項１２】
前記プレートは一対の長側辺と前記一対の長側辺を連結する一対の短側辺とを含み、
前記ターミナルプレートは前記一対の長側辺を連結する斜線に沿って前記プレートを折って形成したことを特徴とする請求項１１に記載の２次電池。
【請求項１３】
前記プレートは前記キャッププレートに向かう第１面と、前記第１面の反対面で前記電極組立体に向かう第２面とを含み、
前記ターミナルプレートは前記第１面の一部が前記第２面上に重なることを特徴とする請求項１１に記載の２次電池。
【請求項１４】
前記電極タップは前記第１面に溶接されることを特徴とする請求項１３に記載の２次電池。
【請求項１５】
前記缶は底面、前記底面から上部に延長され相対的に面積が広い前面、後面、および前記底面から上部に延長され相対的に面積が狭く前記前面と後面とを連結する一対の短側面を含み、
前記缶は長さ方向に沿って缶の中心に位置する中心軸を基準に前記一対の短側面が前記前面に向かって曲がることを特徴とする請求項１に記載の２次電池。
【請求項１６】
前記缶の曲がり程度が大きいほど前記切断面の傾きは大きくなり、前記缶の曲がり程度が小さいほど前記切断面の傾きは小さくなることを特徴とする請求項１５に記載の２次電池。
【請求項１７】
電極組立体、
前記電極組立体と電気的に連結され、前記電極組立体の上段部に突出した第１電極タップおよび第２電極タップ、
前記電極組立体を収容する缶、
前記缶の上部に結合するキャッププレート、および
前記キャッププレートと前記電極組立体との間に位置し、前記第１電極タップと電気的に連結されたターミナルプレートを含み、
前記第１電極タップは第１電極タップの長さ方向と平行な第１長辺、第２長辺および前記第１長辺と第２長辺とを連結する切断面を含み、前記第１長辺と前記切断面がなす角度は９０度より大きいことを特徴とする２次電池。
【請求項１８】
前記第２電極タップは、前記缶の長さ方向に沿って缶の中心に位置する中心軸を基準に前記第１電極タップと対称されるように形成されることを特徴とする請求項１７に記載の２次電池。
【請求項１９】
前記キャッププレートは第１面と、前記第１面の反対面で前記電極組立体に向かう第２面とを含み、
前記第２電極タップは前記第２面に溶接されることを特徴とする請求項１７に記載の２次電池。
【請求項２０】
前記第２電極タップは第２電極タップの長さ方向と平行な第１長辺、第２長辺および前記第１長辺と第２長辺とを連結する切断面を含み、前記第１長辺と前記切断面がなす角度は９０度より大きいことを特徴とする請求項１７に記載の２次電池。
【発明の詳細な説明】
【技術分野】
【０００１】
本発明は２次電池に関する。
【背景技術】
【０００２】
２次電池は充電が不可能な一次電池とは違って充電および放電が可能な電池であって、一つの電池セルがパック形態に包装された低容量電池の場合、携帯電話およびカムコーダーのような携帯が可能な小型電子機器に使われ、電池パックが数十個連結された電池パック単位の大容量電池の場合、ハイブリッド自動車などのモータ駆動用電源として幅広く使用されている。
【０００３】
最近は消費者の好みにより電子機器がますます小型化、薄形化の傾向にあるので、不必要な空間の浪費を最少化するためには２次電池の形状も小型化、薄形化が要求されている。また、消費者の要求により電子機器が従来の生産性などを考慮した平面型デザインから脱皮して多様な形態のデザインが設計されている。特に、携帯電話、ノートパソコンなどのような電子機器は人体工学的な設計のために所定の曲面形状を有するように設計される。したがって、このような電子機器に内蔵される２次電池をそれに一致する曲面を有するように設計して空間の浪費を最小化しなければならない。
【発明の概要】
【発明が解決しようとする課題】
【０００４】
本発明は、電極タップとターミナルプレートの結束力を向上させて安全性および工程マージンを高めることができる２次電池を提供する。
【課題を解決するための手段】
【０００５】
本発明による２次電池は、電極組立体、前記電極組立体と電気的に連結され、前記電極組立体の上段部に突出した電極タップ、前記電極組立体を収容する缶、前記缶の上部に結合するキャッププレート、および前記キャッププレートと前記電極組立体との間に位置し、前記電極タップと電気的に連結されたターミナルプレートを含み、前記電極タップは電極タップの長さ方向と平行な第１長辺、第２長辺、および前記第１長辺と第２長辺とを連結する切断面を含み、前記第１長辺と前記切断面がなす角度は９０度より大きいことを特徴とする。
【０００６】
ここで、前記第１長辺は前記電極組立体の中心と隣接するように位置し、前記第２長辺は前記電極組立体の周縁と隣接するように位置することができる。
また、前記切断面は前記第１長辺から第２長辺に行くほど高さが高くなる斜線形状に形成することができる。
【０００７】
また、前記ターミナルプレートは前記キャッププレートに向かう第１面と、前記第１面と反対面で前記電極組立体に向かう第２面とを含み、前記電極タップは前記第２面に溶接することができる。
また、前記ターミナルプレートは一対の長側辺と、前記一対の長側辺を連結し前記一対の長側辺より長さが短い一対の短側辺とを含むことができる。
【０００８】
また、前記一対の長側辺は曲線で形成することができる。
また、前記切断面は前記一対の長側辺と平行に形成することができる。
また、前記一対の長側辺は二つの直線で形成することができる。
また、前記一対の長側辺は前記電極タップの長さ方向と垂直な第１直線と、前記第１直線に連結され斜線で形成された第２直線とを含むことができる。
【０００９】
また、前記切断面は前記第２直線と平行であることができる。
また、前記ターミナルプレートは長方形状のプレートを折って形成することができる。
また、前記プレートは一対の長側辺と、前記一対の長側辺を連結する一対の短側辺とを含み、前記ターミナルプレートは前記一対の長側辺を連結する斜線に沿って前記プレートを折って形成することができる。
【００１０】
また、前記プレートは前記キャッププレートに向かう第１面と、前記第１面の反対面で前記電極組立体に向かう第２面とを含み、前記ターミナルプレートは前記第１面の一部が前記第２面の上に重なることができる。
また、前記電極タップは前記第１面に溶接することができる。
【００１１】
また、前記缶は底面、前記底面から上部に延長され相対的に面積が広い前、後面および、前記底面から上部に延長され相対的に面積が狭く前記前面と後面を連結する一対の短側面を含み、前記缶は長さ方向に沿って缶の中心に位置する中心軸を基準に前記一対の短側面が前記前面に向かって曲がることができる。
【００１２】
また、前記缶の曲がり程度が大きいほど前記切断面の傾きは大きくなり、前記缶の曲がり程度が小さいほど前記切断面の傾きは小さくなることができる。
さらに、本発明による２次電池は、電極組立体、前記電極組立体と電気的に連結され、前記電極組立体の上段部に突出した第１電極タップおよび第２電極タップ、前記電極組立体を収容する缶、前記缶の上部に結合するキャッププレート、および前記キャッププレートと前記電極組立体との間に位置し、前記第１電極タップと電気的に連結されたターミナルプレートを含み、前記第１電極タップは第１電極タップの長さ方向と平行な第１長辺、第２長辺および前記第１長辺と第２長辺とを連結する切断面を含み、前記第１長辺と前記切断面がなす角度は９０度より大きいことを特徴とする。
【００１３】
前記第２電極タップは前記缶の長さ方向に沿って缶の中心に位置する中心軸を基準に前記第１電極タップと対称されるように形成することができる。
また、前記キャッププレートは第１面と、前記第１面の反対面で前記電極組立体に向かう第２面とを含み、前記第２電極タップは前記第２面に溶接することができる。
【００１４】
また、前記第２電極タップは第２電極タップの長さ方向と平行な第１長辺、第２長辺および前記第１長辺と第２長辺とを連結する切断面を含み、前記第１長辺と前記切断面がなす角度は９０度より大きいこともある。
【発明の効果】
【００１５】
本発明の一実施例による２次電池は、電極タップの切断面をターミナルプレートの長側辺の形状と対応するように斜線形状に形成することによって、電極タップとターミナルプレートとの間の結束力および安全性を向上させることができ、工程マージンを改善できる。
【図面の簡単な説明】
【００１６】
【図１】本発明の一実施例による２次電池を示した斜視図である。
【図２】本発明の一実施例による２次電池を示した分解斜視図である。
【図３】図１における電極タップの結合状態を示した図である。
【図４】図３における電極タップと結合した電極組立体が缶に収納された状態を示した斜視図である。
【図５】図３におけるターミナルプレートの他の実施例を示した図である。
【図６】図３におけるターミナルプレートのまた他の実施例を示した図である。
【図７】図６におけるターミナルプレートの形成方法を示した図である。
【発明を実施するための形態】
【００１７】
本発明の属する技術分野で通常の知識を有する者が本発明を容易に実施できるほど本発明の望ましい実施例を添付図面を参照して詳細に説明する。
図１は本発明の一実施例による２次電池を示した斜視図である。図２は本発明の一実施例による２次電池を示した分解斜視図である。
【００１８】
図１乃至図２を参照すれば、本発明の一実施例による２次電池１００は、電極組立体１１０、電極タップ１２０、缶１３０およびキャップ組立体１４０を含む。本発明による２次電池１００は、缶１３０の長さ方向の中心軸Ｙを基準に缶１３０の両側が前記中心軸Ｙに向かって同様に曲がった形状をしている。したがって、缶１３０の上部に結合するキャップ組立体１４０の形状は前記缶１３０と同様に曲がった形状を有する。また、缶１３０の内部に収容される電極組立体１１０は缶１３０と同様に曲がったまま缶１３０の内部に受納されたり、平らな状態で前記缶１３０に収納されつつ曲がることができる。
【００１９】
前記電極組立体１１０は第１集電体の表面に第１活物質がコーティングされた第１電極板１１１、第２集電体の表面に第２活物質層がコーティングされた第２電極板１１２、および前記第１電極板１１１と第２電極板１１２との間に介在して前記第１電極板１１１と第２電極板１１２を電気的に絶縁させるセパレータ１１３を含む。前記電極組立体１１０は前記第１電極板１１１、第２電極板１１２およびセパレータ１１３がゼリーロール形態で巻き取られる。ここで、前記第１電極板１１１は銅（Ｃｕ）箔からなり、前記第２電極板１１２はアルミ（Ａｌ）箔からなり、前記セパレータ１１３はポリエチレン（ＰＥ）またはポリプロピレン（ＰＰ）からなることができるが、本発明はこれに限定されるものではない。
【００２０】
前記電極タップ１２０は前記電極組立体１１０に電気的に連結される。前記電極タップ１２０は前記第１電極板１１１と電気的に連結された第１電極タップ１２１および前記第２電極板１１２と電気的に連結された第２電極タップ１２２を含む。
【００２１】
前記第１電極タップ１２１は前記第１電極板１１１に溶接され、前記電極組立体１１０の上段部に突出する。したがって、前記第１電極タップ１２１は前記第１電極板１１１と同一の極性を有する。また、前記第１電極タップ１２１には絶縁部材１２３が付着して、前記第１電極タップ１２１は第２電極板１１２と短絡することを防止する。
【００２２】
前記第２電極タップ１２２は前記第２電極板１１２に溶接されて、前記電極組立体１１０の上段部に突出する。したがって、前記第２電極タップ１２２は前記第２電極板１１２と同一の極性を有する。また、前記第２電極タップ１２２には絶縁部材１２３が付着して、前記第２電極タップ１２２は第１電極板１１１と短絡することを防止する。
【００２３】
さらに、前記第１電極タップ１２１と第２電極タップ１２２は前記電極組立体１１０の上段部に突出した終端が斜線形状に形成される。このような電極タップ１２０の構造については、以下で詳しく説明する。
【００２４】
前記缶１３０は前記電極組立体１１０を収容できるように、上部が開放されている。前記缶１３０は底面１３１と、前記底面１３１から上部に延長され相対的に面積が広い一対の長側面１３２、１３３と、前記底面１３１から上部に延長され相対的に面積が狭く前記一対の長側面１３２、１３３を連結する一対の短側面１３４、１３５を含む。また、前記缶１３０は長さ方向に沿って缶１３０の中心に位置する中心軸Ｙを含む。ここで、前記一対の長側面１３２、１３３中、図面において前方に位置する長側面を前面１３２といい、後方に位置する長側面を後面１３３という。前記缶１３０は前記中心軸Ｙを基準に前記一対の短側面１３４、１３５が缶１３０の前面１３２に向かって曲がった形状をしている。したがって、前記前面１３２と後面１３３は前記後面１３３に向かって膨らむように湾曲形状を有する。もちろん、前記缶１３０は中心軸Ｙを基準に前記一対の短側面１３４、１３５が缶１３０の後面１３３に向かって曲がることができる。また、前記缶１３０はディップドローイング（ｄｅｅｐ  ｄｒａｗｉｎｇ）方式によって形成され、軽くて軟性のあるアルミニウムまたはアルミニウム合金などのような導電性金属からなる。さらに、前記缶１３０の内面は絶縁処理されて、前記電極組立体１１０と絶縁される。ここで、前記缶１３０は一つの極性、例えば正極として作用することができる。
【００２５】
前記キャップ組立体１４０は前記缶１３０の上段に結合する。前記キャップ組立体１４０は電極端子１５０、キャッププレート１６０、絶縁プレート１７０、ターミナルプレート１８０および絶縁ケース１９０を含む。
【００２６】
前記電極端子１５０はキャッププレート１６０の中央に結合する。前記電極端子１５０は前記キャッププレート１６０を貫通して、前記ターミナルプレート１８０と電気的に連結される。このとき、前記電極端子１５０とキャッププレート１６０の間にはガスケット１５１が形成されて、前記電極端子１５０とキャッププレート１６０を絶縁させる。
【００２７】
前記キャッププレート１６０は前記缶１３０の上段部を密封し、ほぼ平らなプレート形態に形成される。また、前記キャッププレート１６０は前記缶１３０の横方向断面と対応するように形成される。つまり、前記キャッププレート１６０は前記缶１３０の一対の長側面１３２、１３３と結合する一対の長辺が曲線をなすように形成される。前記キャッププレート１６０の中央には前記電極端子１５０が貫通して結合する端子ホール１６１が形成される。また、前記キャッププレート１６０には電解液を注入するための電解液注入口１６２が形成される。前記電解液注入口１６２には電解液が注入された後、電解液注入口１６２を密閉させるためにキャップ（図示せず）が設けられる。また、前記キャッププレート１６０はほぼ平らな第１面１６０ａと前記第１面１６０ａの反対面で前記電極組立体１１０に向かう第２面１６０ｂを含み、前記第２面１６０ｂには前記第２電極タップ１２２が結合する。したがって、前記キャッププレート１６０は前記第２電極タップ１２２と電気的に連結される。前記キャッププレート１６０と前記第２電極タップ１２２との連結関係は、以下で詳しく説明する。
【００２８】
前記キャッププレート１６０の下部には絶縁プレート１７０およびターミナルプレート１８０が順次形成される。また、前記絶縁プレート１７０とターミナルプレート１８０は前記キャッププレート１６０と同様に、それぞれの長辺が曲線をなすように形成される。
前記絶縁プレート１７０には前記電極端子１５０が貫通するホール１７１が形成され、前記絶縁プレート１７０は前記ガスケット１５１によって前記電極端子１５０と絶縁される。さらに、前記絶縁プレート１７０は前記キャッププレート１６０とターミナルプレート１８０を絶縁させる。
【００２９】
前記ターミナルプレート１８０はほぼ平らで前記キャッププレート１６０に向かう第１面１８０ａと、前記第１面１８０ａの反対面で前記電極組立体１１０に向かう第２面１８０ｂとを含み、前記第２面１８０ｂには前記第１電極タップ１２１が結合する。また、前記ターミナルプレート１８０は一対の長側辺１８１と前記一対の長側辺１８１を連結し、前記一対の長側辺１８１より長さが短い一対の短側辺１８２を含む。したがって、前記ターミナルプレート１８０は前記第１電極タップ１２１と電気的に連結される。前記ターミナルプレート１８０と前記第１電極タップ１２１との連結関係は、以下で詳しく説明する。また、前記ターミナルプレート１８０には前記電極端子１５０が貫通して結合するホール１８０ｃが形成され、前記ターミナルプレート１８０は前記電極端子１５０と電気的に連結される。
【００３０】
前記絶縁ケース１９０は絶縁性を有する高分子樹脂であり、ポリプロピレン（ｐｏｌｙｐｒｏｐｙｌｅｎｅ）からなることができる。前記絶縁ケース１９０は前記キャッププレート１６０と電極組立体１１０の間に形成される。前記絶縁ケース１９０には第１電極タップ１２１および第２電極タップ１２２が通過できるようにホール１９１、１９２が形成されている。また、前記絶縁ケース１９０には前記電解液注入口１６２と対応する位置に電解液通過孔１９３が形成されている。
【００３１】
図３は、図１における電極タップの結合状態を示した図である。図４は、図３における電極タップと結合した電極組立体が缶に収納された状態を示した斜視図である。
図３および図４を参照して、本発明の電極タップの構造および前記電極タップとキャップ組立体との結合関係について詳しく説明する。
【００３２】
図３を参照すれば、第１電極タップ１２１は前記電極組立体１１０から突出した方向（つまり、前記第１電極タップ１２１の長さ方向）と平行な第１長辺１２１ａおよび第２長辺１２１ｂと前記第１長辺１２１ａと第２長辺１２１ｂを連結する第１短辺１２１ｃおよび第２短辺１２１ｄを含む。ここで、前記第１短辺１２１ｃは前記電極組立体１１０の上段部に突出し前記第２短辺１２１ｄは前記電極組立体１１０の内部に位置する。前記第１電極タップ１２１は一つの長い電極タップを切断して形成するため、以下、前記第１短辺１２１ｃを切断面と定義する。前記第１長辺１２１ａは前記電極組立体１１０の巻き取り中心と隣接するように位置し、前記第２長辺１２１ｂは前記電極組立体１１０の周縁と隣接するように位置する。ここで、前記第１長辺１２１ａと前記切断面１２１ｃがなす角度θ１は９０度より大きく形成され、前記第２長辺１２１ｂと前記切断面１２１ｃがなす角度θ２は９０度より小さく形成される。つまり、前記切断面１２１ｃは前記第１長辺１２１ａおよび第２長辺１２１ｂと垂直な形状に形成されたものではなく、第１長辺１２１ａから第２長辺１２１ｂに行くほど高さが高くなる斜線形状に形成される。また、前記切断面１２１ｃの傾きは前記缶１３０の曲がり程度に比例する。つまり、前記缶１３０の曲がり程度が大きくなるほど前記切断面１２１ｃの傾きは大きくなり、前記缶１３０の曲がり程度が小さいほど前記切断面１２１ｃの傾きが小さくなる。
【００３３】
このような第１電極タップ１２１は前記ターミナルプレート１８０に電気的に連結される。具体的に、前記第１電極タップ１２１は前記ターミナルプレート１８０の第２面１８０ｂに溶接によって電気的に連結される。本発明で前記缶１３０の中心軸Ｙを基準に一対の短側面１３４、１３５が前面１３２に向かって曲がった形状に形成されるので、前記缶１３０の上部に結合するキャッププレート１６０は前記缶１３０の横方向断面と対応するように形成される。さらに、前記キャッププレート１６０の下部に結合するターミナルプレート１８０は前記キャッププレート１６０の形状と類似に形成される。つまり、前記ターミナルプレート１８０の一対の長側辺１８１はゆるやかな曲線で形成される。ここで、長側辺１８１とは、前記ターミナルプレート１８０において相対的に長い辺をいう。また、前記ターミナルプレート１８０に結合する第１電極タップ１２１は切断面１２１ｃが斜線形状に形成されている。ここで、前記切断面１２１ｃは直線で形成されたり前記ターミナルプレート１８０の長側辺１８１に沿って曲線で形成されることができる。しかし、前記切断面１２１ｃの横長さはターミナルプレート１８０の横長さに比べて非常に短いので、前記切断面１２１ｃはほぼ直線状に形成される。したがって、前記第１電極タップ１２１の切断面１２１ｃは前記ターミナルプレート１８０の長側辺１８１とほぼ平行に形成される。これによって、前記第１電極タップ１２１がターミナルプレート１８０に溶接される溶接領域Ａ１が広くなるようになるので、第１電極タップ１２１とターミナルプレート１８０との間の結束力が向上する。また、前記溶接領域Ａ１は前記キャッププレート１６０から一定距離を維持しつつ離隔しているので、第１電極タップ１２１がキャッププレート１６０と結合した缶１３０と短絡することを防止する。つまり、本発明による２次電池１００は、前記第１電極タップ１２１の切断面１２１ｃを前記ターミナルプレート１８０の長側辺１８１の形状と対応するように斜線形状に形成することによって、結束力および安全性を向上させることができ、工程マージンを改善できる。
【００３４】
また、第２電極タップ１２２は前記電極組立体１１０から突出した方向（つまり、前記第２電極タップ１２２の長さ方向）と平行な第１長辺１２２ａ、第２長辺１２２ｂ、前記第１長辺１２２ａと第２長辺１２２ｂとを連結する第１短辺１２２ｃ、および第２短辺１２２ｄを含む。ここで、前記第１短辺１２２ｃは前記電極組立体１１０の上段部に突出し前記第２短辺１２２ｄは前記電極組立体１１０の内部に位置する。また、前記第２電極タップ１２２は前記第１電極タップ１２１と同様に一つの長い電極タップを切断して形成するため、以下、前記第１短辺１２２ｃを切断面と定義する。前記第１長辺１２２ａは前記電極組立体１１０の巻き取り中心と隣接するように位置し、前記第２長辺１２２ｂは前記電極組立体１１０の周縁と隣接するように位置する。ここで、前記第１長辺１２２ａと前記切断面１２２ｃがなす角度θ１は９０度より大きく形成され、前記第２長辺１２２ｂと前記切断面１２２ｃがなす角度θ２は９０度より小さく形成される。つまり、前記切断面１２２ｃは第１長辺１２２ａから第２長辺１２２ｂに行くほど高さが高くなる斜線形状に形成される。言い換えると、前記第２電極タップ１２２は前記缶１３０の中心軸Ｙを基準に前記第１電極タップ１２１と対称するように形成される。
【００３５】
このような第２電極タップ１２２は前記キャッププレート１６０に電気的に連結される。具体的に、前記第２電極タップ１２２は前記キャッププレート１６０の第２面１６０ｂに溶接によって電気的に連結される。ここで、前記キャッププレート１６０は缶１３０の横方向断面と対応するように形成される。つまり、前記キャッププレート１６０の長側辺はゆるやかな曲線で形成される。ここで、長側辺とは、前記キャッププレート１６０において前記缶１３０の一対の長側面１３２、１３３と結合する辺をいう。また、前記キャッププレート１６０に結合する第２電極タップ１２２は切断面１２２ｃが斜線形状に形成されている。これによって、前記第２電極タップ１２２と前記キャッププレート１６０が溶接される溶接領域Ａ２は前記キャッププレート１６０の長側辺から一定の間隔で離隔しているので、工程マージンを改善できる。
【００３６】
前記のように、第１電極タップ１２１がターミナルプレート１８０に熔接され第２電極タップ１２２がキャッププレート１６０に溶接された後には、図４に示されているように、電極組立体１１０が缶１３０に受納され、前記第１電極タップ１２１と第２電極タップ１２２が折り曲げられて前記キャッププレート１６０が缶１３０に結合する。
【００３７】
図５は図３におけるターミナルプレートの他の実施例を示した図である。
図５を参照すれば、前記ターミナルプレート２８０は電極端子１５０が結合する第１領域Ｂ１と、第１電極タップ１２１が結合する第２領域Ｂ２とを含む。前記第１領域Ｂ１はほぼ長方形状に形成され、前記第２領域Ｂ２は前記第１領域Ｂ１の一端から延長され、ほぼ平行四辺形に形成される。したがって、前記ターミナルプレート２８０の長側辺２８１は二つの直線が連結された形態に形成される。前記長側辺２８１は前記第１電極タップ１２１の長さ方向と垂直な第１直線２８１ａと、前記第１直線２８１ａから延長され斜線で形成された第２直線２８１ｂとを含む。ここで、前記第２直線２８１ｂは前記第１電極タップ１２１の切断面１２１ｃと平行に形成される。したがって、本発明は前記第１電極タップ１２１の切断面１２１ｃを前記ターミナルプレート２８０の第２直線２８１ｂと平行に斜線形状に形成することによって、結束力および安全性を向上させることができ、工程マージンを改善できる。
【００３８】
図６は図３におけるターミナルプレートのまた他の実施例を示した図である。図７は図６におけるターミナルプレートの形成方法を示した図である。
図６および図７を参照すれば、前記ターミナルプレート３８０はほぼ長方形状のプレートを折って形成される。具体的には、前記ターミナルプレート３８０が折れる前のプレート３８０’は平らな第１面３８０ａと、前記第１面３８０ａの反対面である平らな第２面３８０ｂとを含む。ここで、前記プレートの第１面はキャッププレートに向かう面であり、前記第２面は電極組立体に向かう面である。また、前記プレート３８０’は、一対の長側辺３８１と、前記一対の長側辺３８１を連結する一対の短側辺３８２とをさらに含む。次に、前記プレート３８０’の一対の長側辺３８１を連結する斜線Ｌに沿ってプレート３８０’を折ると、第１面３８０ａが第２面３８０ｂの一部と重なりながら外部に露出する。このような第１面３８０ａには第１電極タップ１２１が結合する。このように、長方形状のプレート３８０’を折ってキャッププレート１６０の形状と同様のターミナルプレート３８０を形成することができる。
【００３９】
以上の説明は、本発明による２次電池を実施するための一つの実施例に過ぎないものであって、本発明は前記実施例に限定されるものではなく、以下の特許請求の範囲において請求するように、本発明の要旨を逸脱することなく当該発明の属する分野で通常の知識を有する者であれば、誰でも多様な変更実施が可能な範囲にまで本発明の技術的精神がいるとみなされる。
【符号の説明】
【００４０】
１００  ２次電池
１１０  電極組立体
１２０  電極タップ
１２１  第１電極タップ
１２２  第２電極タップ
１３０  缶
１４０  キャップ組立体
１５０  電極端子
１６０  キャッププレート
１７０  絶縁プレート
１８０、２８０、３８０  ターミナルプレート
１９０  絶縁ケース
【図１】
2015130313.tif 000003
【図２】
2015130313.tif 000004
【図３】
2015130313.tif 000005
【図４】
2015130313.tif 000006
【図５】
2015130313.tif 000007
【図６】
2015130313.tif 000008
【図７】
2015130313.tif 000009